【手続補正書】
【提出日】平成18年4月3日(2006.4.3)
【手続補正１】
【補正対象書類名】明細書
【補正対象項目名】発明の名称
【補正方法】変更
【補正の内容】
【発明の名称】デジタル放送受信装置およびデジタル放送受信方法
【手続補正２】
【補正対象書類名】明細書
【補正対象項目名】特許請求の範囲
【補正方法】変更
【補正の内容】
【特許請求の範囲】
【請求項１】  放送局から送信され、ジャンル情報を付して番組を提供するデジタル放送波を受信するデジタル放送受信装置であって、
ユーザの所望の番組のジャンル情報を入力する入力手段と、
前記入力手段に入力された前記ジャンル情報を記憶する記憶手段と、
受信中のデジタル放送波の受信状態が劣化した場合に、受信中のデジタル放送波を送信する放送局から、前記記憶手段に記憶されるジャンル情報の番組を提供する放送局へ切替える切替手段とを含むことを特徴とするデジタル放送受信装置。
【請求項２】  前記記憶手段は、ユーザの所望の番組のジャンル情報を複数記憶することが可能であり、
ユーザによって、前記記憶手段に記憶される複数のジャンル情報の中から、放送局の切替え時における番組のジャンル情報が選択されて前記入力手段に入力され、
前記切替手段は、受信中のデジタル放送波を送信する放送局から、予めユーザによって前記入力手段に入力されるジャンル情報の番組を提供する放送局へ切替えることを特徴とする請求項１記載のデジタル放送受信装置。
【請求項３】  前記記憶手段に記憶されるジャンル情報の番組を提供する放送局から送信されるデジタル放送波が受信可能であるか否かを判断する判断手段を含み、
前記切替手段は、受信中のデジタル放送波を送信する放送局から、前記判断手段によって最初に受信可能であると判断されるジャンル情報の番組を提供する放送局へ切替えることを特徴とする請求項１または２記載のデジタル放送受信装置。
【請求項４】  前記判断手段によって判断される受信可能なデジタル放送波を送信する放送局が提供する番組のサービス形式種別を検索するサービス形式検索手段を含み、
少なくとも前記判断手段によって判断される受信可能なデジタル放送波を送信する放送局が提供する番組のジャンル情報、前記サービス形式検索手段によって検索されるサービス形式種別ならびに前記ジャンル情報およびサービス形式種別に基づく番組を提供する放送局に関する情報を含む番組情報の一覧をユーザに提示し、ユーザは提示される前記番組情報を参照して所望のジャンル情報およびサービス形式種別に基づく番組を提供する放送局に関する情報を選択して前記入力手段に入力し、
前記切替手段は、ユーザによって前記入力手段に入力される前記放送局に関する情報に基づいて、受信中のデジタル放送波を送信する放送局から、ユーザの所望のジャンル情報およびサービス形式種別に基づく番組を提供する放送局へ切替えることを特徴とする請求項３記載のデジタル放送受信装置。
【請求項５】  前記サービス形式検索手段によって検索されるサービス形式種別は、映像、音声およびデータ放送であることを特徴とする請求項４記載のデジタル放送受信装置。
【請求項６】  前記切替手段による放送局の切替え動作の態様がユーザに提示され、
前記入力手段は、ユーザに提示される前記切替手段による放送局の切替え動作の態様の中からいずれか１つの態様を選択する入力を受けることが可能であり、
前記切替手段は、ユーザによって前記入力手段に入力される放送局の切替え動作の態様に基づいて、放送局の切替え動作を実行することを特徴とする請求項１〜４のいずれか１つに記載のデジタル放送受信装置。
【請求項７】  前記切替手段によって、受信中のデジタル放送波を送信する放送局から、ユーザによって前記入力手段に入力されるジャンル情報の番組を提供する放送局へ切替える第１モードと、予め定める放送局から送信されるデジタル放送波のみを受信する第２モードとを切替えて実行する制御手段を含むことを特徴とする請求項１〜４のいずれか１つに記載のデジタル放送受信装置。
【請求項８】  前記切替手段は、受信中のデジタル放送波を送信する放送局が提供する番組の前記サービス形式種別とは異なるサービス形式種別の番組を提供する放送局へ切替え可能であることを特徴とする請求項４記載のデジタル放送受信装置。
【請求項９】  前記判断手段によって受信可能であると判断されるデジタル放送波の数が、予めユーザによって定められる数以上になったときに、前記判断手段による前記デジタル放送波の受信可能であるか否かの判断の実行を終了させることを特徴とする請求項４記載のデジタル放送受信装置。
【請求項１０】  放送局から送信され、ジャンル情報を付して番組を提供するデジタル放送波を受信するデジタル放送受信方法であって、
受信中のデジタル放送波の受信状態が劣化した場合に、受信中のデジタル放送波を送信する放送局から、ユーザの入力によって記憶されたジャンル情報に該当する番組を提供する放送局への受信に切替えることを特徴とするデジタル放送受信方法。
【請求項１１】  放送局から送信され、ジャンル情報を付して番組を提供するデジタル放送波を受信するデジタル放送受信装置であって、
ユーザの所望の番組のジャンル情報を入力する入力手段と、
前記入力手段に入力された前記ジャンル情報を記憶する記憶手段と、
受信中のデジタル放送波の受信状態が劣化した場合に、前記記憶手段に記憶されたジャンル情報に基づいて、そのジャンル情報の番組を含むデジタル放送波を検索する制御手段とを含むことを特徴とするデジタル放送受信装置。
【請求項１２】  放送局から送信され、ジャンル情報を付して番組を提供するデジタル放送波を受信するデジタル放送受信方法であって、
受信中のデジタル放送波の受信状態が劣化した場合に、ユーザの入力によって記憶されたジャンル情報に該当する番組を提供する放送局からのデジタル放送波を検索することを特徴とするデジタル放送受信方法。
【手続補正３】
【補正対象書類名】明細書
【補正対象項目名】０００１
【補正方法】変更
【補正の内容】
【０００１】
【発明の属する技術分野】
本発明は、地上波デジタル放送および衛星デジタル放送などのデジタル放送波を受信するデジタル放送受信装置およびデジタル放送受信方法に関する。
【手続補正４】
【補正対象書類名】明細書
【補正対象項目名】０００７
【補正方法】変更
【補正の内容】
【０００７】
したがって本発明の目的は、受信状態が劣化したときに、ユーザの所望のジャンル情報の番組を提供する放送局へ自動的に切替えることができるデジタル放送受信装置およびデジタル放送受信方法を提供することである。
【手続補正５】
【補正対象書類名】明細書
【補正対象項目名】０００８
【補正方法】変更
【補正の内容】
【０００８】
【課題を解決するための手段】
本発明は、放送局から送信され、ジャンル情報を付して番組を提供するデジタル放送波を受信するデジタル放送受信装置であって、
ユーザの所望の番組のジャンル情報を入力する入力手段と、
前記入力手段に入力された前記ジャンル情報を記憶する記憶手段と、
受信中のデジタル放送波の受信状態が劣化した場合に、受信中のデジタル放送波を送信する放送局から、前記記憶手段に記憶されるジャンル情報の番組を提供する放送局へ切替える切替手段とを含むことを特徴とするデジタル放送受信装置である。
【手続補正６】
【補正対象書類名】明細書
【補正対象項目名】０００９
【補正方法】変更
【補正の内容】
【０００９】
本発明に従えば、予め入力手段に入力したユーザの所望の番組のジャンル情報を記憶手段に記憶する。受信中のデジタル放送波の受信状態が劣化して、たとえば映像劣化および音声劣化などが生じ、番組の視聴が困難になった場合は、切替手段によって、受信中のデジタル放送波を送信する放送局から、ユーザによって入力手段に入力されるジャンル情報の番組を提供する放送局へ自動的に切替えられる。したがって、ユーザは、デジタル放送波の受信状態が劣化して番組の視聴が困難になった場合に、所望の番組を提供している放送局へ切替える設定操作を手動で行う必要がないので、操作の手間を省くことができる。これによって、ユーザは容易かつ即座に所望の番組を視聴することができ、利便性が向上する。
【手続補正７】
【補正対象書類名】明細書
【補正対象項目名】００２６
【補正方法】変更
【補正の内容】
【００２６】
本発明に従えば、記憶手段に記憶されるジャンル情報の番組を提供する放送局から送信されるデジタル放送波のうち、前記判断手段によって受信可能であると判断される前記デジタル放送波の数が、予めユーザによって定められる数以上になったときに、前記判断手段による前記デジタル放送波の受信可能であるか否かの判断の実行を終了させる。前述のように、判断手段によって受信可能であると判断されるデジタル放送波の数の最大数を予め設定しておくことによって、判断手段による受信可能であるか否かの判断時間を短縮することができ、比較的短時間に放送局の切替えを行うことができる。これによって、ユーザは即座に新たな番組を視聴することができる。
また本発明は、放送局から送信され、ジャンル情報を付して番組を提供するデジタル放送波を受信するデジタル放送受信方法であって、
受信中のデジタル放送波の受信状態が劣化した場合に、受信中のデジタル放送波を送信する放送局から、ユーザの入力によって記憶されたジャンル情報に該当する番組を提供する放送局への受信に切替えることを特徴とするデジタル放送受信方法である。
本発明に従えば、受信中のデジタル放送波の受信状態が劣化して、たとえば映像劣化および音声劣化などが生じ、番組の視聴が困難になった場合に、受信中のデジタル放送波を送信する放送局から、ユーザの入力によって記憶されたジャンル情報に該当する番組を提供する放送局への受信に自動的に切替えられる。したがって、ユーザは、デジタル放送波の受信状態が劣化して番組の視聴が困難になった場合に、所望の番組を提供している放送局への受信に切替える設定操作を手動で行う必要がないので、操作の手間を省くことができる。これによって、ユーザは容易かつ即座に所望の番組を視聴することができ、利便性が向上する。
また本発明は、放送局から送信され、ジャンル情報を付して番組を提供するデジタル放送波を受信するデジタル放送受信装置であって、
ユーザの所望の番組のジャンル情報を入力する入力手段と、
前記入力手段に入力された前記ジャンル情報を記憶する記憶手段と、
受信中のデジタル放送波の受信状態が劣化した場合に、前記記憶手段に記憶されたジャンル情報に基づいて、そのジャンル情報の番組を含むデジタル放送波を検索する制御手段とを含むことを特徴とするデジタル放送受信装置である。
本発明に従えば、予め入力手段に入力したユーザの所望の番組のジャンル情報を記憶手段に記憶する。受信中のデジタル放送波の受信状態が劣化して、たとえば映像劣化および音声劣化などが生じ、番組の視聴が困難になった場合は、記憶手段に記憶されたジャンル情報に基づいて、そのジャンル情報の番組を含むデジタル放送波が、制御手段によって検索される。したがって、ユーザは簡単な入力操作を行うだけで、デジタル放送波の受信状態が劣化して番組の視聴が困難になった場合でも、記憶手段に記憶されたジャンル情報の番組を含むデジタル放送波が検索され、その検索されたデジタル放送波に含まれる番組を提供している放送局へ自動的に切替えられる。これによって、ユーザは容易かつ即座に所望の番組を視聴することができ、利便性が向上する。
また本発明は、放送局から送信され、ジャンル情報を付して番組を提供するデジタル放送波を受信するデジタル放送受信方法であって、
受信中のデジタル放送波の受信状態が劣化した場合に、ユーザの入力によって記憶されたジャンル情報に該当する番組を提供する放送局からのデジタル放送波を検索することを特徴とするデジタル放送受信方法である。
本発明に従えば、受信中のデジタル放送波の受信状態が劣化して、たとえば映像劣化および音声劣化などが生じ、番組の視聴が困難になった場合に、ユーザの入力によって記憶されたジャンル情報に該当する番組を提供する放送局からのデジタル放送波が検索される。したがって、ユーザは簡単な入力操作を行うだけで、デジタル放送波の受信状態が劣化して番組の視聴が困難になった場合でも、ユーザの入力によって記憶されたジャンル情報に該当する番組を提供している放送局へ自動的に切替えられる。これによって、ユーザは容易かつ即座に前記記憶されたジャンル情報に該当する番組を視聴することができ、利便性が向上する。
【手続補正８】
【補正対象書類名】明細書
【補正対象項目名】００３６
【補正方法】変更
【補正の内容】
【００３６】
ＣＰＵ２１は、後述するＲＯＭ２２に予め記憶されるプログラムに基づいて、受信機３を構成する上記のチューナ１１、復調部１２、ＴＳデコード１３、音声デコード１４、映像デコード１５、提示処理部１６、システムバス２０、ＲＯＭ２２、ＲＡＭ２３、Ｉ／Ｏ（Input/Output）２４およびモデム２５を含むハードウェア資源を制御する。またＣＰＵ２１は、切替え手段、判断手段、サービス形式検索手段および制御手段である。
【手続補正９】
【補正対象書類名】明細書
【補正対象項目名】０１３９
【補正方法】変更
【補正の内容】
【０１３９】
【発明の効果】
以上のように本発明によれば、ユーザは、デジタル放送波の受信状態が劣化して番組の視聴が困難になった場合に、所望の番組を提供している放送局へ切替える設定操作を手動で行う必要がないので、操作の手間を省くことができる。これによって、ユーザは容易かつ即座に所望の番組を視聴することができ、利便性が向上する。
【手続補正１０】
【補正対象書類名】明細書
【補正対象項目名】０１４７
【補正方法】変更
【補正の内容】
【０１４７】
また本発明によれば、判断手段による受信可能であるか否かの判断時間を短縮することができ、比較的短時間に放送局の切替えを行うことができる。これによって、ユーザは即座に新たな番組を視聴することができる。
また本発明によれば、ユーザは、デジタル放送波の受信状態が劣化して番組の視聴が困難になった場合に、所望の番組を提供している放送局への受信に切替える設定操作を手動で行う必要がないので、操作の手間を省くことができる。これによって、ユーザは容易かつ即座に所望の番組を視聴することができ、利便性が向上する。
また本発明によれば、ユーザは簡単な入力操作を行うだけで、デジタル放送波の受信状態が劣化して番組の視聴が困難になった場合でも、記憶手段に記憶されたジャンル情報の番組を含むデジタル放送波が検索され、その検索されたデジタル放送波に含まれる番組を提供している放送局へ自動的に切替えられる。これによって、ユーザは容易かつ即座に所望の番組を視聴することができ、利便性が向上する。
また本発明によれば、ユーザは簡単な入力操作を行うだけで、デジタル放送波の受信状態が劣化して番組の視聴が困難になった場合でも、ユーザの入力によって記憶されたジャンル情報に該当する番組を提供している放送局へ自動的に切替えられる。これによって、ユーザは容易かつ即座に前記記憶されたジャンル情報に該当する番組を視聴することができ、利便性が向上する。